(57)【要約】【課題】本発明は額縁用裏板押え具に関し、額縁のフレーム裏面に対して、吊り下げ紐巌着部が設けられた額縁用裏板押え具をビスで固定し、該基部から一体的に延長する弾性のある画材押え部がプラスチック又は金属からなり、一定の押し圧を有し、額縁の内側に収納されている画材や画材保護板が動かぬよう固定されることを特徴とする額縁用裏板押え具押え具を提供するものである。【解決手段】本発明の額縁用裏板押え具は、額縁のフレーム裏面に額縁用裏板押え具の基部をビスで固定し、該基部から一体的に延長する画材押え部が弾性押え具がプラスチック又は金属からなり、一定の押し圧力を有し、額縁の内側に収納さている画材や画材保護板を動かぬよう固定されることを特徴とし、且つ、額縁用裏板押え具の基部から一体的に設けられた吊り下げ紐嵌着部が形成されており、吊り下げ紐を似意の位置で嵌着し、額縁を壁に吊り下げられるように構成したことを特徴とする額縁用板押え具を提供するものである。【選択図】図３
2018192221.tif 000002
【特許請求の範囲】
【請求項１】
額縁用裏板押え具に一体的に設けられた吊り下げ紐を巌着出来る凹み部を形成し、紐を任意の位置に設定でき、額縁を壁に吊り下げられるように構成した事を特徴としたプラスチック又は金属からなる額縁用裏板押え具
【請求項２】
額縁用裏板押え具の吊り下げ紐嵌着部と反対方向に設けられた画材押え部が、常に一定の加圧によって絵画、画材保護板を加圧固定することを特徴とする額縁用裏板押え具。
【発明の詳細な説明】
【技術分野】
【０００１】本発明は額縁用裏板押え具に関し、特に額縁のフレーム裏面に額縁用裏板押え具の基部をビスで固定し、該基部から一体的に延長する弾性のある画材押え部が、額縁の内側に収納される画材や画材保護板が一定の押し圧で動かぬように固定され且つ基部の一部分に設けられた吊り下げ紐巌着部が吊り下げ紐を任意の位置で巌着出来る機能を備えたことを特徴とするプラスチック又は金属から成る額縁用裏板押え具を提供するものである。
【背景技術】
【０００２】額縁フレームが全面開閉式にする額縁が開発されており、絵画や写真等の作品をセットしたり、画材を取り替えるときにはコーナー部の連結を外したり、組み立てたりする手間が掛かるものであった。また組立後に固定する為の構造は、ロック部材やストッパーなどの部品を取り付けるために複雑な構造を必要とするものであった。【０００３】これらの例としては、特開２００５−１６８９４５号公報「額縁」や実用新案登録第３０８３５０７号公報「全面開放式額縁」などが開示されている。
【先行技術文献】
【特許文献】
【０００４】
【特許文献１】特開２００５−１６８９４５号
【特許文献２】実用新案登録第３０８３５０７号
【発明の開示】
【発明が解決しようとする課題】
【０００５】前記せる特開２００５−１６８９４５号公報では、この種の連結具は、絵画などの作品をセットしたり、取り替えるときにはコーナー部の連結を外したり、組み立てたりする手間が掛かるものであった。また、ベースフレームとフロントフレームの両方のフレームを必要とするものであった。【０００６】又、前記せる実用新案登録第３０８３５０７号公報の場合もコーナーの連結金具を必要とし、且つ、ベースフレームとフロントフレームの両方のフレームを必要とするものであった。
【課題を解決するための手段】
【０００７】本発明の額縁用裏板押え具は、額縁のフレーム裏面に額縁用裏板押え具の基部をビスで固定し、基部から一体的に延長する弾性のある画材押え部が、画材を一定の押し圧で固定し、額縁用裏板押え具の基部の一部分に設けられた吊り下げ紐を巌着出来る凹み部を形成し、そこに吊り下げ紐を引っ掛け額縁を壁に吊り下げられるように構成したことを特徴とするプラスチック又は金属から成る額縁用裏板押え具を提供するものである。
【発明の効果】
【０００８】本発明の額縁用押え具を、額縁のフレーム裏面に額縁用裏板押え具の基部がネジで固定されており、基部から一体的に延長する画材押え部が額縁の裏側に収納される絵画や画材保護板を一定の押し圧で固定し、額縁用裏板押え具に設けられた吊り下げ紐巌着部に容易に紐が掛かるので此の吊り下げ紐を用いて額縁を壁などに吊り下げて鑑賞することができる。また、従来の額縁用裏押え具には吊り下げ用の紐が掛けられる構造が無く、別に紐吊り下げ用の部品を額縁フレーム裏面にビスで固定しなければならなかった。
今回の発明の額縁用裏板押え具には紐吊り下げ用の構造が備わっているので別途紐吊り下げ用の部品は必要なくコスト的にも安価になる。
【発明を実施するための形態】
【０００９】以下、図面に基図いて、本発明を実施するための形態を具体的に説明する。
［図１］〜［図２］は額縁用裏板押え具１を額縁フレーム３にビス２によって固定された額縁用裏板押え具１に紐を巌着する前の状態で吊り下げ紐１２を矢印ａ方向に引っ張ることにより、［図４］に記した紐挿入用テーパー８部に沿って吊り下げ紐１２が圧縮されつつ額縁フレーム３の方向へ移動し圧縮された吊り下げ紐１２がやっと通過する吊り下げ紐圧縮通過部７を通過し、凹み部９に収まる。紐挿入テーパー８の反対側はテーパーが付いていないので、吊り下げ紐１２は紐挿入テーパー８のように圧縮されつつ吊り下げ紐圧縮通過部７を通過することができず外れにくい構造になっている。
【００１０】［図３］〜［図４］は、額縁用裏板押え具１に吊り下げ紐１２を巌着した状態を示し吊り下げ紐１２は凹み部９に対してゆるく設定されているので、容易に吊り下げ紐１２をスライドできる。
【００１１】［図５］は額縁用裏板押え具１に吊り下げ紐１２を嵌着した状態である。
【００１２】［図６］は、額縁の背面から見た斜視図であり、額縁フレーム３にそれぞれ従来の裏板留め具１４及び、紐吊り下げ金具１３に吊り下げ紐１２を通して使用した状態である。
【００１３】［図７］は、額縁の背面から見た斜視図であり、額縁フレーム３に今回発明した額縁用裏板押え具１をビス２で固定し吊り下げ紐１２を通して使用した状態である。
【００１４】額縁用裏板押え具１の基部から延長する画材押え部１１が弾性のある材質から成っており一定の押し圧力で額縁の裏側に収納される画材や画材保護板を固定できるように構成されている。
【００１５】また、図２〜図３に示すように、額縁用裏板押え具１の基部１０には吊り下げ紐嵌着部６が形成されており、吊り下げ紐１２を任意の位置で容易に嵌着することができる。
【図面の簡単な説明】
【００１６】
【図１】額縁用裏板押え具の紐嵌着前の平面図である。
【図２】図１のＡ―Ａ’線の断面図である。
【図３】額縁用裏板押え具の紐嵌着後の平面図である。
【図４】図３のＢ―Ｂ’線の断面図である。
【図５】額縁用裏板押え具の紐嵌着後の裏面図である。
【図６】額縁に従来の画材押え具及び紐吊り下げ部品を取り付けた状態の背面斜視図である。
【図７】額縁に今回発明の吊り下げ紐兼用の額縁用裏板押え具を取り付けた状態の平面斜視図である。
【符号の説明】
【００１７】１  額縁用裏押え具
２  ビス
３  額縁フレーム
４  絵画
５  画材保護板
６  吊り下げ紐嵌着部
７  吊り下げ紐圧縮通過部
８  紐挿入用テーパー
９  凹み部
１０  基部
１１  画材押え部
１２  吊り下げ紐
１３  吊り下げ金具
１４  裏板留め具
【図１】
2018192221.tif 000003
【図２】
2018192221.tif 000004
【図３】
2018192221.tif 000005
【図４】
2018192221.tif 000006
【図５】
2018192221.tif 000007
【図６】
2018192221.tif 000008
【図７】
2018192221.tif 000009